(57)【要約】【課題】多くの警備保障人の手を患わせることなく、物品の輸送を安全に且つ安価に輸送できるような警備保障装置を得ること。【解決手段】警備を要する装置に接続され、番犬を係留するストラップと、このストラップに付設し、これに係留された番犬の心臓付近に設けられた心音検知器と、このストラップの切断を検知するストラップ切断検知器と、警備を要する装置の現在位置を検知する現在位置検知装置と、心音検知器とストラップ切断検知器と現在位置検知装置からの信号を送信する発信器とを具備し、警備を要する装置の現在位置や現在時刻番犬を係留しているストラップが切断されたか否かの情報を基地局に常時送信して、警備を施す装置の安全を確認する。もしストラップが切断されたり番犬が殺されたりして事件が発生したときには、この異常を検知してこれを基地局に送信し、救出の手立てをとる。【選択図】図１
2007149024.tif 000002
【特許請求の範囲】
【請求項１】
警備を要する装置に接続され、番犬を係留するストラップと、
該ストラップに付設し、これに係留された番犬の心臓付近に設けられた心音検知器と、
該ストラップの切断を検知するストラップ切断検知器と、
警備を要する装置の現在位置を検知する現在位置検知装置と、
心音検知器とストラップ切断検知器と現在位置検知装置からの信号を送信する発信器と、
を具備してなる警備保障装置。
【請求項２】
上記現在位置検知装置は、グローバル・ポジショニング・システムであることを特徴とする請求項１に記載の警備保障装置。
【請求項３】
上記発信器の送信アンテナは、基地局と交信する共同アンテナの出力側に接続された分配機と接続されていることを特徴とする請求項１に記載の警備保障装置。
【発明の詳細な説明】
【技術分野】
【０００１】
本発明は、警備保障装置に関し、特に警備保障を要する物品を輸送するコンテナに警備犬を付属せしめて、輸送する物品の警護を保障する警備保障装置に関する。
【背景技術】
【０００２】
特に近年、幅広い分野の物流が激しくなり、従来から物流の主流を占めていた食料品に加えて、精密機械部品、電子部品、宝飾品など、高価な品物がコンテナを用いて大量に輸送されるようになってきた。
【０００３】
上記のように、高価な品物がコンテナで大量に輸送される場合、問題になるのが、安全保障の問題である。
従来から輸送中のコンテナや、保管中のコンテナの安全を保証するため、警備保障会社等の物流警備の企業にその安全保障を委託していた。物流警備の企業では、安全を守るため、マンパワーを活用していたが、近年信頼の置ける警備員の人件費が高騰しているため、大量の警備保障人を雇用して、警備に当たらせるということが、不可能に近い状態となってきた。
【特許文献１】特開平０９−１０８０４８号公報
【発明の開示】
【発明が解決しようとする課題】
【０００４】
そこで、本発明においては、上記のような警備の不都合を解消しようとするもので、その目的は、多くの警備保障人の手を患わせることなく、物品の輸送を安全に且つ安価に輸送できるような警備保障装置を得ることにある。
【課題を解決するための手段】
【０００５】
上述の如き従来の不都合を解決するために、本発明の請求項１に記載の発明は、警備を要する装置に接続され、番犬を係留するストラップと、該ストラップに付設し、これに係留された番犬の心臓付近に設けられた心音検知器と、該ストラップの切断を検知するストラップ切断検知器と、警備を要する装置の現在位置を検知する現在位置検知装置と、心音検知器とストラップ切断検知器と現在位置検知装置からの信号を送信する発信器と、を具備してなる警備保障装置を提供する。
【０００６】
本願の請求項２に記載の発明は、上記現在位置検知装置は、グローバル・ポジショニング・システムであることを特徴とする警備保障装置を提供する。
本願の請求項３に記載の発明は、上記発信器の送信アンテナは、基地局と交信する共同アンテナの出力側に接続された分配機と接続されていることを特徴とする警備保障装置を提供する。
【発明の効果】
【０００７】
本発明にかかる警備保障装置は、警備を要する装置に番犬を沿わせることができるので、警備を要する装置に警備保障人をいちいち付き添わせることもなく、これに危険が迫っても危険をいち早く検知することができると共に事件発生の位置と時刻が判明する。万が一番犬が殺されたときとかこれをストラップから外した時をいち早く検知でき、救出の手立てを早急に下すことができる。そして、人間の生命の損失を減らすことができる。
【発明を実施するための最良の形態】
【０００８】
次に、本発明を現金輸送コンテナに適用した場合の一実施の形態を図面を用いて詳細に説明する。
図１は、その斜視図であり、図において１は現金輸送用のコンテナである。実際このコンテナ１は頑丈な金属板製で、現金出入用の扉、運搬用の取っ手等が設けられていて、通常の手段では容易に破壊できないような構造である。コンテナ１の内部壁面には、警報装置２と電圧供給源５が取り付けられている。電源供給源５は電源３とスイッチ４を含む。この壁面６には、鍵穴７とストラップ挿通穴８が開けられており、鍵穴７には鍵９を取り外し自在に差し込んで、スイッチ４をオン・オフする。また、ストラップ挿通穴８には番犬１０を係留するためのストラップ１１が挿通する。このストラップ１１で、番犬１０の心臓に近い位置には、心臓の心音を拾う心音検知器（マイクロフォン）１２が取り付けられている。警報装置２から心音検知器１２に延びる導線１３（点線表示）は、ストラップ１１の中に編み込まれている。心音検知器１２は、例えば図２に示すような回路を有し、鍵９をターンオンして、警備保障装置全体を駆動状態にした後にストラップ１１が不意に切断されると、コントローラを構成するストラップ切断検知器２ａがこれを検知して、不意の事故を検知するが、詳細な説明は後述する。なお、ストラップ１１に係留する犬は、警備のために役立つような訓練を良く施したもので、警備を行っているスタッフに対しては従順であるが、外部のものに対しては極めて警戒心を強くするように躾てある。又警戒動作実施中は、一切便を漏らさないように訓練してある。そして、この犬には、他人に迷惑がかからぬように抜け毛防止用のスーツを着用させてある。このような犬を、本発明中では、番犬と称する。
警報装置２は、前述のストラップ切断検知器２ａを含め、コントローラ２ｂ，位置受信器２ｃ、発信器２ｄを持っている。
【０００９】
図２に示す回路は、番犬１０の心音を拾う単なる一例回路であるが、これについて、説明を加える。ストラップ１１の中には、導線１３を構成する２本の導通線１３ａ、１３ｂが内縫されており、導通線１３ａ、１３ｂの一方端には小型トランス１４を介して心音検知器１２が接続されている。導通線１３ａ、１３ｂの他方には、スイッチ１５、トランス１６の一次側、ストラップ切断検知機２ａ、電池１７の直列回路が接続されている。図３に示すように、心音検知器１２の出力は、ストラップ切断検知器２ａを介してコントローラ２ｂに入力される。コントローラ２ｂは中央処理装置を備えたコンピュータ構成となっており、心音検知器１２からの信号があり、且つストラップ切断検知器２ｂからの信号がない場合に、運用している警備保障装置独特の識別番号、グローバル・ポジショニング・システム（以下ＧＰＳと略記する）の位置受信器２ｃからの現在位置信号等所定の情報を発信器２ｄに送付する。この情報は、発信器２ｄより送信アンテナ１９を介して、基地局方向に送信される。なお，２０はＧＰＳ受信アンテナであり、これら２つのアンテナは図１に示すように、コンテナ１の天井に配置される。２１は、コンテナ１の扉開閉を検知するドアスイッチである。なお、上記識別番号は、警備員が知らない番号、さらに、貨物の荷主側と荷受側で交わしたデジタルロックの番号で入力すると良い。
【００１０】
次に本発明の作用について説明する。
まず、準備として、番犬１０をストラップ１１に係留する。
次いで、図４のステップＳ１に示すように、現金を運搬する担当の警備員は、鍵９を鍵穴７に差し込み、鍵９をオン方向に回転する。この動作で、電源供給源５のスイッチ４がオンとなり、警備保障装置全体に電源が供給されると同時に、スイッチ１５もオンとなり、ストラップ１１の導通線１３ａ、１３ｂに電流が流れる。この電流は、ストラップ切断検知器２ａが検知し、ストラップ１１が切断されていないことをコントローラ２ｂに通知する。このとき、心音検知器１２が番犬の心音を拾っているか否かのチェックは重要な準備操作である（ステップＳ２）。この確認がとれた後、ステップ３に移って、コンテナ１の中に輸送物品を装填して、コンテナ１に通常行っている施錠を施す。この施錠で、ドアスイッチ２１がオンとなり、施錠が施されたことをコントローラ２ｂが検知する。なお、ステップＳ２の操作で、番犬の心音が聞こえないときには、心音が聞こえるまで確認動作を何回でも繰り返す。
番犬１０の心音が確認できるということは、番犬１０がストラップ１１に係留されている証拠である。そして、この時点から現金輸送の動作が開始される。ストラップ１１が切断されていないことが確認されると、コントローラ２ｂは、図５のタイムチャートに示すように、クロック信号（図５（ａ））に促されて位置受信器２ｃが受信した警備保障装置の現在位置信号を受信し、この中に設けられた一時記憶装置（ＲＡＭ）の中に最新データとして書き込む（ステップＳ５）。
【００１１】
この現在位置信号として受信したＧＰＳの信号の中には、時刻信号も含まれる。また、一時記憶装置の中には、コンテナを示すID番号も記憶されている。
また、ドアスイッチ２１のオンオフによる施錠信号を含めて、これら３つの信号の論理和で、コントローラ２ｂは、コンテナ１の状態は正常と判断する。ここで、この論理和信号を準備完了信号と名付ける。図５（ａ）クロック信号Ｐ１の立ち上がりからｔ１後、コントローラ２ｂは、準備完了信号を得る（図５（ｃ））。ステップＳ５において、心音有り信号、ストラップ切断なし信号、ドア閉信号、位置信号、時刻信号及びコンテナ特有のID番号は全て読み出されて（図５（ｄ））、ステップ６、７に示すように、これらデータは、発信器２ｄから送信アンテナ１９を経由して基地局方向に送信される。この動作は、鍵９がオンの状態であれば、フローはステップＳ８からＡルートを通してステップＳ２に戻り、つぎのクロック信号Ｐ２で、前述のような動作が繰り返される。
コンテナ１が安全に目的地まで運搬されたならば、暗証番号（識別番号）鍵９をオフにする。この鍵オフ動作で、警備保障操作は終了する。
【００１２】
図４のステップＳ５において、コンテナが襲われ、例えば、ストラップ１１が切断され、番犬が連れ去られるような状態が発生した場合には、ストラップ１１の切断に伴って導通線１３ａ、１３ｂが切断されると、これらを流れる電流が立たれるので、この状態をストラップ切断検知器２ａが検知し、コントローラ２ａに通知する。コントローラ２ａは、この信号で事故発生と判断し、図５（ｆ）に示すような事件発生信号を継続的に発生する。そして、ステップＳ９において、事件発生信号は、発信器２ｄから送信アンテナ１９を経由して基地局方向に送信される。なお、位置信号と、時刻信号は、危険発生信号が発せられても、発信器２ｄから送信アンテナ１９を経由して基地局方向に送信される。
また、例えば、番犬１０が刺殺されたりなどしてその心臓が停止したような場合にも、コントローラ２ａはこの状態を事件発生と判断し、ストラップ切断の時と同じ状態を作り出して、事件発生信号を基地局方向に送信し続ける。また、事件発生状態では、鍵９がオフされることはないので、フローは、事故発生状態を継続する。
【００１３】
基地局では、事件発生信号を受信すると、直ちにコンテナの現在地を割り出して、コンテナ救出の手当を行う。また、基地局では、コンテナ輸送中常時位置信号を確認している。そして、もし、位置信号の送信が途絶えたならば、直ちに位置信号最後の発生データを読出して、その位置をコンテナの現在位置と推定し、コンテナ救出の手立てを下す。
なお、コンテナを複数個纏めて車両輸送することが考えられる。このような場合、たいていこれら複数個のコンテナは、金属壁で密閉された運搬車の中に収容される。このような条件では、各コンテナから発信する信号も基地局に届かず、またＧＰＳ信号も受信することができない。
このような場合、これらコンテナを収容した運搬車の外部天井等の適当箇所に、共同の送信アンテナとＧＰＳ受信アンテナを設け、これらに分配器を配置してそれぞれのコンテナのアンテナ回路をこれら分配器に接続すれば、装置輸送中でもこれらのコンテナとの連絡は保てる。
【産業上の利用可能性】
【００１４】
本発明は上記実施例のように、コンテナの輸送の警備保障に用いられるだけではなく、例えば物流の物資輸送システムの中において、物資を輸送する際の物品収納部にこれを適用したり、また輸送する新車や中古車の輸送の際に、本発明の装置を用いることができる。
【図面の簡単な説明】
【００１５】
【図１】本発明の構成を示す構成図である。
【図２】番犬の心音を拾う心音検知器とストラップ切断検知器の回路図である。
【図３】本発明のブロック図である。
【図４】本発明の流れ図である。
【図５】本発明の動作を示すタイムチャート図である。
【符号の説明】
【００１６】
１・・・・・コンテナ
２・・・・・警報装置
２ａ・・・・ストラップ切断検知器
２ｂ・・・・コントローラ
２ｃ・・・・位置受信器
２ｄ・・・・発信器
３・・・・・電源
４・・・・・スイッチ
５・・・・・電源供給源
６・・・・・壁面
７・・・・・鍵穴
８・・・・・ストラップ挿通穴
９・・・・・鍵
１０・・・・・番犬
１１・・・・・ストラップ
１２・・・・・心音検知器
１３・・・・・導線
１３ａ・・・・導通線
１３ｂ・・・・導通線
１４・・・・・小型トランス
１５・・・・・スイッチ
１６・・・・・トランス
１７・・・・・電池
１８・・・・・位置受信器
１９・・・・・送信アンテナ
２０・・・・・ＧＰＳ受信アンテナ
２１・・・・・ドアスイッチ
【図１】
2007149024.tif 000003
【図２】
2007149024.tif 000004
【図３】
2007149024.tif 000005
【図４】
2007149024.tif 000006
【図５】
2007149024.tif 000007